(57)【要約】【課題】外部から取得する暗号化された情報をセキュアに利用する。【解決手段】ドライブ装置１は、登録情報に関連する、暗号化された関連情報を外部から取得するデータ取得部１１１と、データ取得部１１１が関連情報を取得するときに、光ディスク１００に記録されている、関連情報を復号するための鍵情報を光ディスク１０から読み出す再生制御部１１３と、再生制御部１１３が読み出した鍵情報を用いて、関連情報を復号する復号部１１２と、を備えている。これにより、外部から取得する暗号化された関連情報をセキュアに利用することができる。【選択図】図１
2011159347.tif 000002
【特許請求の範囲】
【請求項１】
登録情報が記録されている情報記録媒体に対する情報の記録又は再生を制御することが可能な記録再生装置であって、
上記登録情報に関連する、暗号化された関連情報を外部から取得する取得手段と、
上記取得手段が上記関連情報を取得するときに、上記情報記録媒体に記録されている、上記関連情報を復号するための鍵情報を当該情報記録媒体から読み出す再生制御手段と、
上記再生制御手段が読み出した鍵情報を用いて、上記関連情報を復号する復号手段と、を備えることを特徴とする記録再生装置。
【請求項２】
上記復号手段が復号した関連情報である復号済関連情報を、上記情報記録媒体に記録する記録制御手段を備えることを特徴とする請求項１に記載の記録再生装置。
【請求項３】
上記情報記録媒体は、上記登録情報と上記鍵情報とが記録されている、情報を再生することのみ可能な第１情報記録層と、情報を追記録又は書き換え可能な第２情報記録層と、を少なくとも備えており、
上記記録制御手段は、上記第２情報記録層に上記復号済関連情報を記録することを特徴とする請求項２に記載の記録再生装置。
【請求項４】
上記取得手段は、上記関連情報として、上記登録情報を更新するための情報である更新情報を取得することを特徴とする請求項２または３に記載の記録再生装置。
【請求項５】
上記再生制御手段は、上記記録制御手段により上記情報記録媒体に上記復号済関連情報が記録されている場合には、当該復号済関連情報を読み出すことを特徴とする請求項４に記載の記録再生装置。
【請求項６】
請求項１から５の何れか１項に記載の記録再生装置を備えた情報処理装置。
【請求項７】
登録情報が記録されている情報記録媒体に対する情報の記録又は再生を制御することが可能な記録再生装置の制御方法であって、
上記登録情報に関連する、暗号化された関連情報を外部から取得する取得ステップと、
上記取得ステップにて上記関連情報を取得するときに、上記情報記録媒体に記録されている、上記関連情報を復号するための鍵情報を当該情報記録媒体から読み出す再生制御ステップと、
上記再生制御ステップにて読み出した鍵情報を用いて、上記関連情報を復号する復号ステップと、を含むことを特徴とする記録再生装置の制御方法。
【請求項８】
請求項１から５の何れか１項に記載の記録再生装置を動作させる制御プログラムであって、コンピュータを上記の各手段として機能させるための制御プログラム。
【請求項９】
請求項８に記載の制御プログラムを記録したコンピュータ読み取り可能な記録媒体。
【請求項１０】
登録情報と、当該登録情報に関連する、暗号化された関連情報を復号するための鍵情報と、が記録されていることを特徴とする情報記録媒体。
【請求項１１】
登録情報が記録されている、情報を再生することのみ可能な第１情報記録層と、情報を追記録又は書き換え可能な第２情報記録層と、を少なくとも備えており、
上記第１情報記録層には、さらに、上記鍵情報が記録されていることを特徴とする請求項１０に記載の情報記録媒体。
【請求項１２】
上記第２情報記録層には、上記鍵情報を用いて復号された関連情報である復号済関連情報が記録されることを特徴とする請求項１１に記載の情報記録媒体。
【発明の詳細な説明】
【技術分野】
【０００１】
本発明は、各種情報が記録される複数の情報記録領域を有する情報記録媒体、及び、当該情報記録媒体に対する情報の記録再生を制御することが可能な記録再生装置に関するものである。
【背景技術】
【０００２】
近年、辞書や地図、電子機器の取扱説明書等、従来、紙媒体で提供されていた書物が電子化され、光ディスク等の記録媒体に記録されて販売されている。また、この光ディスクとしては、読取専用の記録領域（ＲＯＭ領域）と書き換え可能な記録領域（ＲＡＭ領域）とを有するＣＤ−ＲＯＭやＤＶＤ−ＲＯＭが用いられている。例えば、特許文献１には、ＲＯＭ領域に電子化された書物（固定情報）が記録されており、その固定情報に対してユーザが付加した注釈やアンダーライン等の付加情報をＲＡＭ領域に記録する技術が開示されている。
【０００３】
また、光ディスクに記録されている固定情報を更新する場合、例えば特許文献２のように、ＲＡＭ領域にこの固定情報の追加・更新・削除に関する情報をネットワークを介して記録している。また、特許文献２では、ダウンロードされた情報の不正コピーを防止し、当該情報がセキュアに利用されるように、光ディスク毎に異なる特定の情報（例えばＢＣＡデータ）を用意し、配信元にて、この特定の情報とダウンロードの履歴とを管理している。これにより、ダウンロードされた情報を正規のユーザのみが取得可能なように、配信元にてユーザ認識を行うことができる。
【０００４】
なお、ＲＯＭ領域に記録されている固定情報をセキュアに利用するための技術として、特許文献３及び４では、ＲＯＭ領域にオリジナルの光ディスクであることを示す情報を用いて、オリジナルの光ディスクであるか（不正コピーにより作成された光ディスクであるか）を判断している。
【先行技術文献】
【特許文献】
【０００５】
【特許文献１】特開２０００−７６１１５号公報（２０００年３月１４日公開）
【特許文献２】特開平１１−１４４３２２号公報（１９９９年５月２８日公開）
【特許文献３】特開２００３−３６５９５号公報（２００３年２月７日公開）
【特許文献４】特開２００４−３９０１４号公報（２００４年２月５日公開）
【発明の概要】
【発明が解決しようとする課題】
【０００６】
しかしながら、特許文献１では、光ディスクのＲＡＭ領域に記録される付加情報は、そもそも当該光ディスクを利用するユーザが記録する情報であり、ダウンロードされた情報ではないので、当該情報がセキュアに利用されることについて考慮する必要はない。
【０００７】
また、特許文献２には、ダウンロードされた情報がセキュアに利用されるための技術が開示されているが、この技術では、配信元において光ディスクを識別するための情報とダウンロードするための情報とを対応付けて管理しておく必要があるため、配信元への負担が大きくなってしまう虞がある。
【０００８】
また、特許文献３及び４には、ＲＯＭ領域に記録されている固定情報をセキュアに利用
するための技術であって、ダウンロードされた情報をセキュアに利用するための技術ではない。
【０００９】
さらに、特許文献１〜４には、予めＲＯＭ領域に記録されている固定情報ではなく、ダウンロードされる情報が暗号化されている場合に、鍵情報を用いることにより、その情報をセキュアに利用する技術については何ら開示されていない。つまり、ダウンロードされる情報が暗号化されていない場合には、特許文献２のように配信元での管理が行われなければ、この情報を取得する装置側において不正コピーを容易に行うことが可能となってしまう虞があり、この情報をセキュアに利用することが困難であった。
【００１０】
本発明は、上記の問題を解決するためになされたもので、その目的は、外部から取得する暗号化された情報をセキュアに利用（運用）することが可能な記録再生装置、情報処理装置、記録再生装置の制御方法、制御プログラム、コンピュータ読み取り可能な記録媒体、及び、情報記録媒体を提供することにある。
【課題を解決するための手段】
【００１１】
本発明に係る記録再生装置は、上記の課題を解決するために、登録情報が記録されている情報記録媒体に対する情報の記録又は再生を制御することが可能な記録再生装置であって、上記登録情報に関連する、暗号化された関連情報を外部から取得する取得手段と、上記取得手段が上記関連情報を取得するときに、上記情報記録媒体に記録されている、上記関連情報を復号するための鍵情報を当該情報記録媒体から読み出す再生制御手段と、上記再生制御手段が読み出した鍵情報を用いて、上記関連情報を復号する復号手段と、を備えることを特徴としている。
【００１２】
本発明に係る記録再生装置の制御方法は、上記の課題を解決するために、登録情報が記録されている情報記録媒体に対する情報の記録又は再生を制御することが可能な記録再生装置の制御方法であって、上記登録情報に関連する、暗号化された関連情報を外部から取得する取得ステップと、上記取得ステップにて上記関連情報を取得するときに、上記情報記録媒体に記録されている、上記関連情報を復号するための鍵情報を当該情報記録媒体から読み出す再生制御ステップと、上記再生制御ステップにて読み出した鍵情報を用いて、上記関連情報を復号する復号ステップと、を含むことを特徴としている。
【００１３】
上記構成によれば、取得手段（取得ステップ）が、挿入された情報記録媒体に記録されている登録情報に関連する、暗号化された関連情報を外部から取得するときに、再生制御手段（再生制御ステップ）が、当該情報記録媒体に記録されている鍵情報を読み出し、復号手段（復号ステップ）が、その鍵情報を用いて、取得した関連情報を復号する。
【００１４】
このため、本発明の記録再生装置は、この関連情報を復号するための鍵情報を有する情報記録媒体が挿入され、当該鍵情報を読み出した場合には、暗号化された状態で外部から取得した関連情報の復号を行うことができ、その関連情報を利用することができる。一方、記録再生装置は、鍵情報を有する情報記録媒体が挿入されず、当該鍵情報を読み出すことができない場合には、この鍵情報を用いての関連情報の復号を行うことができないので、その関連情報を利用することができない。
【００１５】
つまり、本発明の記録再生装置は、情報記録媒体が鍵情報を有している場合には関連情報の復号を行い、鍵情報を有していない場合にはその復号を行わないので、この情報記録媒体が挿入されていないとき、または、鍵情報を有していない情報記録媒体が挿入されたときの関連情報の利用を回避することができる。
【００１６】
また、本発明の記録再生装置は、鍵情報を有しない他の情報記録媒体に関連情報が不正
コピーされたとしても、鍵情報がなければその関連情報を復号することができないので、その関連情報を利用することができない。このため、本発明の記録再生装置では、不正コピーされた関連情報が利用されるという状況を回避することができる。
【００１７】
以上のように、本発明の記録再生装置（その制御方法）は、外部から取得する暗号化された関連情報のセキュアな利用を提供することができる。
【００１８】
本発明に係る記録再生装置は、上記復号手段が復号した関連情報である復号済関連情報を、上記情報記録媒体に記録する記録制御手段を備えることが好ましい。
【００１９】
上記構成によれば、記録制御手段が、復号済関連情報を、この復号済関連情報と関連する登録情報が記録されている情報記録媒体に記録する。すなわち、登録情報と、この登録情報に関連する復号済関連情報とを、同じ情報記録媒体に記録するので、この情報記録媒体に対して再生制御を行うことが可能な他の装置においても、登録情報の利用に供してその復号済関連情報を利用させることができる。また、関連するこれらの情報を、ひとつの情報記録媒体を用いて一元管理することができる。
【００２０】
本発明に係る記録再生装置では、上記情報記録媒体は、上記登録情報と上記鍵情報とが記録されている、情報を再生することのみ可能な第１情報記録層と、情報を追記録又は書き換え可能な第２情報記録層と、を少なくとも備えており、上記記録制御手段は、上記第２情報記録層に上記復号済関連情報を記録することが好ましい。
【００２１】
上記構成によれば、登録情報が記録されている第１情報記録層に鍵情報が記録されているので、当該鍵情報を追記録又は書き換えてしまうことがない。このため、鍵情報を改ざんして使用する等の不正使用を未然に防ぐことができる。
【００２２】
また、登録情報及び鍵情報を有する情報記録媒体が第２情報記録層を有しており、記録制御手段は、この第２情報記録層に復号済関連情報を記録する。したがって、この情報記録媒体を用いる場合も上記と同様、上記他の装置においても、登録情報の利用に供してその復号済関連情報を利用させることができる。
【００２３】
本発明に係る記録再生装置では、上記取得手段は、上記関連情報として、上記登録情報を更新するための情報である更新情報を取得することが好ましい。
【００２４】
上記構成によれば、外部から取得する、登録情報を更新するための更新情報を復号し、その登録情報が記録されている情報記録媒体に記録することにより、情報記録媒体を用いて、登録情報を最新の状態で管理することができる。
【００２５】
本発明に係る記録再生装置では、上記再生制御手段は、上記記録制御手段により上記情報記録媒体に上記復号済関連情報が記録されている場合には、当該復号済関連情報を読み出すことが好ましい。
【００２６】
上記構成によれば、取得手段が関連情報として更新情報を取得した場合、記録制御手段は、その更新情報を復号した情報である復号済関連情報を情報記録媒体に記録する。この場合、再生制御手段は、この情報記録媒体から復号済関連情報を読み出す。つまり、再生制御手段は、情報記録媒体に復号済関連情報が記録されている場合には、登録情報の代わりとして、登録情報を更新した後の情報である復号済関連情報を読み出すことができる。
【００２７】
これにより、登録情報に対して新しい事実の発見があった場合、あるいは、登録情報に間違いがあった場合であっても、その登録情報ではなく、更新または修復された最新の状
態の登録情報を読み出すことができる。
【００２８】
本発明に係る情報処理装置は、上記に記載の記録再生装置を備えていることが好ましい。これにより、この情報処理装置においても、上記の記録再生装置と同様の作用効果を奏することができる。
【００２９】
なお、上記記録再生装置は、コンピュータによって実現してもよく、この場合には、コンピュータを上記の各手段として動作させることにより上記記録再生装置をコンピュータにて実現させる記録再生装置の制御プログラム、およびそれを記録したコンピュータ読み取り可能な記録媒体も、本発明の範疇に入る。
【００３０】
上記制御プログラムによれば、コンピュータで上記手段を実現することにより、コンピュータ上で記録再生装置を実現することができる。また、上記記録媒体によれば、記録媒体から読み出される制御プログラムを、汎用のコンピュータ上で実現することができる。
【００３１】
本発明に係る情報記録媒体は、登録情報と、当該登録情報に関連する、暗号化された関連情報を復号するための鍵情報と、が記録されていることを特徴としている。
【００３２】
上記構成によれば、登録情報に関連する、暗号化された関連情報を復号するための鍵情報が、当該登録情報とともに記録されている。換言すれば、登録情報と、その関連情報を復号するための鍵情報とを、同じ情報記録媒体で管理している。
【００３３】
つまり、例えば本発明の記録再生装置に本発明の情報記録媒体が挿入された場合には、鍵情報を用いてその登録情報に関連する関連情報が復号される一方、その情報記録媒体が挿入されない場合には、この鍵情報を用いての関連情報の復号されることはなく、記録再生装置によりその関連情報を利用されることがない。このため、本発明の情報記録媒体が挿入されていないとき、または、鍵情報を有していない情報記録媒体が挿入されたときの記録再生装置における関連情報の利用を回避することができる。
【００３４】
また、関連情報が他の情報記録媒体に不正コピーされたとしても、その情報記録媒体に鍵情報がなければ不正コピーされた関連情報を復号されることはない。このため、本発明の情報記録媒体を用いることにより、不正コピーされた関連情報が利用されるという状況を回避することができる。
【００３５】
以上のように、本発明に係る情報記録媒体は、外部から取得する暗号化された関連情報をセキュアな利用を提供することができる。
【００３６】
本発明に係る情報記録媒体は、登録情報が記録されている、情報を再生することのみ可能な第１情報記録層と、情報を追記録又は書き換え可能な第２情報記録層と、を少なくとも備えており、上記第１情報記録層には、さらに、上記鍵情報が記録されていることが好ましい。
【００３７】
上記構成によれば、情報を再生することのみ可能な第１情報記録層に鍵情報が記録されているので、当該鍵情報が追記録又は書き換えられることがない。このため、鍵情報を改ざんして使用する等の不正使用を未然に防ぐことができる。
【００３８】
本発明に係る情報記録媒体は、上記第２情報記録層には、上記鍵情報を用いて復号された関連情報である復号済関連情報が記録されることが好ましい。
【００３９】
上記構成によれば、鍵情報を用いて復号された復号済関連情報が、この復号済関連情報
と関連する登録情報が記録されている第１情報記録層を有する情報記録媒体の第２情報記録層に記録される。すなわち、登録情報と、この登録情報に関連する復号済関連情報とが、同じ情報記録媒体に記録されるので、この情報記録媒体に対して再生制御を行うことが可能な本発明の記録再生装置とは異なる他の装置においても、登録情報の利用に供してその復号済関連情報を利用することができる。また、関連するこれらの情報を、ひとつの情報記録媒体を用いて一元管理することができる。
【発明の効果】
【００４０】
本発明に係る記録再生装置は、以上のように、上記登録情報に関連する、暗号化された関連情報を外部から取得する取得手段と、上記取得手段が上記関連情報を取得するときに、上記情報記録媒体に記録されている、上記関連情報を復号するための鍵情報を当該情報記録媒体から読み出す再生制御手段と、上記再生制御手段が読み出した鍵情報を用いて、上記関連情報を復号する復号手段と、を備える構成である。
【００４１】
また、本発明に係る記録再生装置の制御方法は、以上のように、上記登録情報に関連する、暗号化された関連情報を外部から取得する取得ステップと、上記取得ステップにて上記関連情報を取得するときに、上記情報記録媒体に記録されている、上記関連情報を復号するための鍵情報を当該情報記録媒体から読み出す再生制御ステップと、上記再生制御ステップにて読み出した鍵情報を用いて、上記関連情報を復号する復号ステップと、を含む方法である。
【００４２】
それゆえ、本発明の記録再生装置（その制御方法）は、外部から取得する暗号化された関連情報をセキュアに利用することができるという効果を奏する。
【図面の簡単な説明】
【００４３】
【図１】本発明の一実施形態に係るドライブ装置のより詳細な構成の一例を示す図である。
【図２】本発明の一実施形態に係る記録再生システムの概略構成を示すブロック図である。
【図３】本発明の一実施形態に係る光ディスクの概略構成の一例を示す図であり、（ａ）は、再生光入射側から見たときの光ディスクを示す図であり、（ｂ）は、光ディスクの各記録層の構成例を示す図である。
【図４】本発明の一実施形態に係るドライブ装置の概略構成の一例を示す図である。
【図５】本発明の一実施形態に係るドライブ装置にて作成されるアドレステーブルを示す図である。
【図６】本発明の一実施形態に係るドライブ装置における処理の一例を示すフローチャートである。
【発明を実施するための形態】
【００４４】
本発明の実施の一形態について図１〜図６に基づいて説明すれば、以下のとおりである。
【００４５】
〔記録再生システム１０の構成〕
まず、本実施の形態に係る記録再生システム１０について、図２を用いて説明する。図２は、本実施の形態に係る記録再生システム１０の概略構成を示すブロック図である。図示のように、記録再生システム１０は、ＰＣ２（情報処理装置）、表示装置３、キーボード４及びマウス５を備えており、ＰＣ２と、表示装置３、キーボード４及びマウス５とは、有線、無線、赤外線等を用いてデータ通信を行うことが可能となっている。すなわち、本実施の形態では、ＰＣ２のＰＣ側制御部２１は、キーボード４及びマウス５に入力されるユーザ操作を取得し、そのユーザ操作に従った処理を行う。また、ＰＣ側制御部２１は
、表示装置３を制御することにより、表示装置３が有するディスプレイに画像（例えば、後述の光ディスク１００に記録されている登録情報）を表示させる。なお、表示装置３、キーボード４及びマウス５の構成は既知であるので、具体的な説明については省略する。
【００４６】
なお、ユーザ操作を取得可能な操作装置としては、キーボード４又はマウス５に限らず、この機能を有するリモコン又はタッチパッドでもよく、また、マイク等の音声入力装置であってもよい。また、ユーザに対して情報を提供する装置としては、表示装置３に限らず、例えばスピーカー等の音声出力装置を備えていてもよい。なお、表示装置３のディスプレイとしては、例えば液晶パネルが用いられているが、これに限らず、有機ＥＬ（Electro Luminescence）パネル等が用いられていてもよい。
【００４７】
また、ＰＣ２は、周辺機器である表示装置３、キーボード４及びマウス５と、ＰＣ２に内蔵されたドライブ装置１（記録再生装置）を制御するものである。ＰＣ２は、ドライブ装置１、ＰＣ側制御部２１、記憶部２２、一次記憶部２３及び外部Ｉ／Ｆ２４を備えている。なお、ドライブ装置１は、ＰＣ２に内蔵されておらず、外部接続されていてもよい。
【００４８】
ドライブ装置１は、ＤＶＤやＢＤ等の光ディスク（光情報記録媒体）が挿入される挿入部（図示せず）を備え、この光情報記録媒体に対する情報の記録又は再生を制御することが可能なものである。なお、ドライブ装置１の具体的な構成については後述する。
【００４９】
ＰＣ側制御部２１は、例えば制御プログラムを実行することにより、ＰＣ２の構成部材（ドライブ装置１等）や周辺機器（表示装置３等）を制御するものである。ＰＣ側制御部２１は、ＰＣ２に備えられた記憶部２２に格納されているプログラムを、例えばＲＡＭ（Random Access Memory）等で構成される一次記憶部２３に必要に応じて読み出して実行することにより各種処理を行う。
【００５０】
例えば、ＰＣ側制御部２１は、キーボード４又はマウス５を介してユーザ操作を取得すると、これを解析し、解析結果に基づいた指示を、例えばＡＴＡＰＩ（Attachment Packet Interface）コマンドを発行することによりドライブ装置１に通知する。ドライブ装置
１に光ディスクが挿入されている場合には、例えば光ディスクに対する情報の再生又は記録の指示を送信する。また、ＰＣ側制御部２１は、送信したＡＴＡＰＩコマンドのレスポンスとして光ディスクから読み出された情報をドライブ装置１から取得すると、表示装置３にその情報を表示させる。
【００５１】
記憶部２２は、ＰＣ側制御部２１が実行する（１）各部の制御プログラム、（２）ＯＳプログラム、（３）アプリケーションプログラム、および、（４）これらプログラムを実行するときに読み出す各種データを記録するものである。記憶部２２は、フラッシュメモリなどの不揮発性の記憶装置によって構成される。
【００５２】
一次記憶部２３は、ＲＡＭ（Random Access Memory）などの揮発性の記憶装置によって構成されるものであり、ＰＣ側制御部２１が上述の各種プログラムを実行する過程でデータを一時的に保持するための作業領域として使用される。
【００５３】
外部Ｉ／Ｆ（インタフェース）２４は、ＰＣ側制御部２１と各周辺機器との通信を実現するためのインタフェースである。これにより、ＰＣ側制御部２１の制御により、記憶部２２に記憶されている画像、あるいは、ドライブ装置１が光ディスクから読み出した画像を表示装置３が表示したり、ＰＣ側制御部２１がキーボード４又はマウス５に対するユーザ操作を取得したりすることができる。
【００５４】
〔光ディスク１００の構成〕
次に、図３を用いて、本実施の形態に係る光ディスク１００の概略構成の一例について説明する。図３は、本実施の形態に係る光ディスク１００の概略構成の一例を示す図であり、図３（ａ）は、再生光入射側から見たときの光ディスク１００を示す図であり、図３（ｂ）は、光ディスク１００の各記録層の構成例を示す図である。
【００５５】
まず、図３（ａ）に示すように、光ディスク１００は、その内周側に、管理領域１０１及びリードイン領域１０２を備えている。
【００５６】
管理領域１０１は、光ディスク１００の最内周で、かつ、再生光入射側から最も遠い記録層（ＲＥ層）に設けられた領域であり、トラッキング制御が不要な領域またはフォーカス制御のみでアクセス可能なバーコード状の記録領域であり、例えばＢＣＡ（Burst Cutting Area）である。例えばドライブ装置１は、光ディスク１００が挿入されると、まず管理領域１０１の情報を読み取りにいくように設計されている。また、管理領域１０１は、製造時にのみ情報の書き込みを行うことが可能な領域（すなわち書き換え不可能な領域）である。
【００５７】
管理領域１０１には、主として、光ディスク１００の構造を示すディスク識別情報が記録される。ディスク識別情報の具体例としては、光ディスク１００の記録層のタイプ（再生専用型、追記型、書き換え型）、光ディスク１００のサイズ、光ディスク１００のバージョン（速度等に関連）、サーボの極性、記録マークの極性及び光ディスク１００固有の番号（個体番号）等が挙げられるが、管理領域１０１における各ディスク識別情報の記録順序（又は配置方法）は、任意であってよい。なお、これらの記録順序は、通常規格などによって決められている。
【００５８】
リードイン領域１０２は、光ディスク１００において管理領域１０１の外周側に、記録層ごとに設けられた領域であり、ドライブ装置１が各層に対する処理を行う際に、ドライブ装置１による制御により最初に再生光が照射される（最初に情報が読み出される）記録領域である。リードイン領域１０２には、例えば光ディスク１００への記録・再生の標準条件、各層に対するドライブ装置１のアクセスの許可不許可（アクセス制限）を示す情報、製造時の欠陥および使用中にできた欠陥の位置を示す情報などが記録されている。なお、この欠陥の位置を示す情報は、リードイン領域１０２およびリードアウト領域１０４内の欠陥管理領域に記録される。
【００５９】
次に、図３（ｂ）は、再生光入射側から最も遠い記録層から記録層Ｌ０、Ｌ１、・・・と称する場合、記録層Ｌ０が、情報を記録することが可能な記録可能領域であるＲＥ層（書き換え可能な記録層）、記録層Ｌ１が、情報を読み出すことが可能な再生専用領域であるＲＯＭ層（再生専用の記録層）である場合の光ディスク１００の構成を示している。なお、ＲＥ層は、追記録可能な記録層をＲ（Recordable）層であってもよい。また、図３（ｂ）では、記録層Ｌ０およびＬ１だけを図示しているが、再生光入射側にさらに記録層を設けた構成であってもよい。換言すれば、光ディスク１００は、情報を読み出すことのみ可能なＲＯＭ層（第１情報記録層）と、情報を追記録可能な又は情報を書き換えることが可能なＲ層またはＲＥ層（第２情報記録層）と、を少なくとも備えたものである。
【００６０】
図示のように、記録層Ｌ０（ＲＥ層）および記録層Ｌ１（ＲＯＭ層）には、リードイン領域１０２、ユーザデータ領域１０３およびリードアウト領域１０４が設けられている。また、ＲＥ層には、さらに管理領域１０１が設けられている。なお、管理領域１０１については上述したので、ここではその説明を省略する。
【００６１】
ＲＥ層のリードイン領域１０２には、例えば、当該ＲＥ層のユーザデータ領域１０３に記録される関連情報（復号済関連情報を含む）の属性情報を示すファイル管理情報が記録
される。この属性情報とは、関連情報の名前やサイズ、作成日時、更新日時、関連する登録情報に関する情報等の関連情報に付記された情報のことである。この登録情報に関する情報とは、ＲＯＭ層に記録されている登録情報のうちのどの情報と関連があるのか（複数種類の登録情報が存在する場合には、どの登録情報と関連があるのか）を示す情報やその位置を示す情報である。また、このリードイン領域１０２には、図５に示すアドレステーブルＴ１が、ファイル管理情報と対応付けて記録される。なお、アドレステーブルＴ１の作成方法及び使用方法については後述する。
【００６２】
また、ＲＥ層のリードイン領域１０２には、製造時にのみ情報の書き込みを行うことが可能な領域（すなわち書き換え不可能な領域）と、ドライブ装置１に挿入された後に情報の書き換えを行うことが可能な領域とが設けられていてもよい。
【００６３】
ＲＯＭ層のリードイン領域１０２には、例えば、ＲＯＭ層のユーザデータ領域１０３に記録されている登録情報に関連する、暗号化された関連情報を復号するための鍵情報が記録されている。この鍵情報としては、製造時に光ディスク１００に記録される、光ディスクが同じ種別であることを示す種別固有情報や、光ディスク毎のシリアルナンバー等の媒体固有情報、記録される登録情報毎に設定されている特定の情報等が挙げられる。鍵情報は、少なくとも、光ディスク１００に記録されている登録情報に関連する関連情報を暗号化した鍵に対応する鍵である。逆に言えば、外部装置あるいは光ディスクにて管理されている関連情報は、光ディスク１００に記録されている鍵情報に対応する鍵で暗号化されているものである。
【００６４】
ここで、登録情報とは、光ディスク１００のＲＯＭ層に記録されているコンテンツ又はソフトウェアであり、例えば電子化された百科事典、辞書、電話帳等の書籍や、音楽ファイル、映画ファイル等が挙げられる。また、ＲＯＭ層には、製造時点での最新の登録情報が記録されている。
【００６５】
関連情報とは、登録情報に関連する（登録情報の利用に供される）、暗号化された情報であり、コンテンツサーバ等の外部装置によって管理されているものである。関連情報としては、例えば登録情報を更新するため、あるいは、登録情報をバージョンアップするための更新情報（アップデートデータ）や、登録情報が不完全な状態である場合には、それを補完するための情報である補完情報等が挙げられる。なお、関連情報は、外部装置に限らず、光ディスクやＵＳＢ（Universal Serial Bus）等の可搬性を有する記録媒体にて管理されていてもよい。また、復号済関連情報とは、ドライブ装置１にて復号された関連情報である。
【００６６】
なお、関連情報としては、登録情報が百科事典や辞書の場合には、ユーザが入力するメモやラインマーカー等の追加情報、登録情報が映画ファイルである場合には、登録情報に関連した字幕などの文字情報等の追加コンテンツ、新作映画の予告編等の広告映像等も挙げられる。
【００６７】
ＲＯＭ層のユーザデータ領域１０３には、製造段階で記録される登録情報が記録されている。一方、ＲＥ層のユーザデータ領域１０３には、例えばドライブ装置１が外部装置から取得し、復号した関連情報である復号済関連情報が記録される。本実施の形態では、ＲＥ層のリードイン領域１０２及びユーザデータ領域１０３には、製造時には情報が記録されていないものとする。
【００６８】
リードアウト領域１０４は、通常、光ディスク１００の各層の最外周側に設けられており、前述した欠陥の位置を示す情報などが記録されている。
【００６９】
なお、本実施の形態では、光ディスク１００がＲＥ層（Ｒ層）およびＲＯＭ層からなる２層ＢＤである場合について説明するが、これに限らず、少なくともＲＥ層（Ｒ層）およびＲＯＭ層を少なくとも１層ずつ含む多層媒体であってもよい。換言すれば、光ディスク１００は、ＲＯＭ層、ＲＥ層及びＲ層といった記録特性の異なる情報記録層が多層化されたいわゆるハイブリッドディスクである。この他、光ディスク１００は、層構造を有するＢＤでなくてもよく、例えば、ＲＯＭ層の機能を有する再生専用領域と、Ｒ層又はＲＥ層の機能を有する追記録又は書き換え可能な記録領域とを有するパーシャルＲＯＭディスクであってもよい。
【００７０】
以上のように、光ディスク１００には、登録情報と、当該登録情報に関連する、暗号化された関連情報を復号するための鍵情報と、が記録されている。このため、後述のドライブ装置１に光ディスク１００が挿入された場合にのみ、この鍵情報を用いて、ドライブ装置１が外部から取得する関連情報を復号することができる。つまり、光ディスク１００が挿入されていないとき、または、鍵情報を有していない光ディスクが挿入されたときのドライブ装置１における関連情報の利用を回避することができる。
【００７１】
また、光ディスク１００だけが鍵情報を有しているので、他の光ディスクに関連情報が不正コピーされたとしても、その関連情報が利用されるという状況を回避することができる。
【００７２】
さらに、光ディスク１００のＲＯＭ層に鍵情報が記録されているので、光ディスク１００の使用の際に追記録又は書き換えられることがない。このため、鍵情報を改ざんして使用する等の不正使用を未然に防ぐことができる。
【００７３】
さらに、光ディスク１００のＲＥ層に復号済関連情報が記録されるので、登録情報と、この登録情報に関連する復号済関連情報とが、同じ光ディスク１００に記録される。このため、ドライブ装置１以外の他の装置においても、登録情報の利用に供してその復号済関連情報を利用することができる。また、関連するこれらの情報を、ひとつの光ディスク１００を用いて一元管理することができる。
【００７４】
〔ドライブ装置１の概略構成〕
次に、図４を用いて、本実施の形態に係るドライブ装置１の概略構成について説明する。図４は、本実施の形態に係るドライブ装置１の概略構成の一例を示す図である。
【００７５】
図４に示すように、ドライブ装置１は、ドライブ側制御部１１、記録再生回路群１３及び光ピックアップ１６を備えている。また、記録再生回路群１３は、主として、ピックアップ駆動回路１３１、レーザ駆動回路１３２および再生回路１３３を備えている。なお、ドライブ側制御部１１のより詳細な構成については後述する。
【００７６】
ドライブ装置１では、回転する光ディスク（この章では、以降、光ディスク１００として説明する）の図示しないトラックへ、ドライブ側制御部１１がピックアップ駆動回路１３１を介して光ピックアップ１６を移動させるようになっている。
【００７７】
光ピックアップ１６には、光ヘッド１６１が設けられている。そして、ドライブ側制御部１１がレーザ駆動回路１３２を介して記録条件を設定し、光ヘッド１６１から記録用のレーザビームを光ディスク１００の記録部位に照射することによって、光ディスク１００のトラックに情報が記録されるようになっている。
【００７８】
また、ドライブ装置１は、ドライブ側制御部１１がピックアップ駆動回路１３１を介して光ピックアップ１６を光ディスク１００の記録部位へ移動させる。そして、ドライブ側
制御部１１がレーザ駆動回路１３２を介して再生条件を設定し、光ヘッド１６１から再生用のレーザビームを光ディスク１００に照射するようになっている。
【００７９】
光ヘッド１６１が検出した反射光は、再生回路１３３にて再生信号に変換され、ドライブ側制御部１１に入力される。これにより、ドライブ装置１は、光ディスク１００のトラック（複数のセクタからなる）に記録された情報を再生するようになっている。
【００８０】
また、ドライブ装置１には、ディスク装填認識部１７が設けられている。ディスク装填認識部１７は、光ディスク１００の装填を検出するためのものであり、例えば、各種センサが例示できるが、光ディスク１００の装填を検出できるものであれば、どのようなセンサを用いてもよい。また、ディスク装填認識部１７は、検出した結果を検出信号としてドライブ側制御部１１へ出力するようになっている。
【００８１】
〔ドライブ装置１の構成〕
次に、図１を用いて、本実施の形態に係るドライブ装置１のより詳細な構成、特にドライブ側制御部１１の構成について説明する。図１は、ドライブ装置１のより詳細な構成の一例を示す図である。図１に示すように、ドライブ装置１は、ドライブ側制御部１１、通信部１２、記録再生制御回路群１３、記憶部１４及び一次記憶部１５を備えている。なお、記録再生制御回路群１３については上述したので、その説明を省略する。
【００８２】
ドライブ側制御部１１は、データ取得部１１１（取得手段）、復号部１１２（復号手段）、再生制御部１１３（再生制御手段）及び記録制御部１１４（記録制御手段）を備えており、例えば制御プログラムを実行することにより、ドライブ装置１の構成部材（通信部１２等）を制御するものである。ドライブ側制御部１１は、ドライブ装置１に備えられた記憶部１４に格納されているプログラムを、例えばＲＡＭ（Random Access Memory）等で構成される一次記憶部１５に必要に応じて読み出して実行することにより各種処理を行う。
【００８３】
ドライブ側制御部１１は、例えば、ＰＣ側制御部２１から通知されるＡＴＡＰＩコマンドを解析することにより、データ取得部１１１による関連情報の取得、再生制御部１１３による光ディスクからの情報の読み出し、記録制御部１１４による光ディスクへの情報の記録等を行っている。この場合、ドライブ側制御部１１は、受け取ったＡＴＡＰＩコマンドに対するレスポンスとして、取得した関連情報や読み出した情報等をＰＣ側制御部２１に送信する。
【００８４】
データ取得部１１１は、登録情報に関連する、暗号化された関連情報を外部装置から取得するものである。データ取得部１１１は、例えば外部装置の自動配信される関連情報を通信部１２を介して取得したり、ＰＣ側制御部２１から関連情報の取得指示を受信した場合には、通信部１２を制御することにより、外部装置に関連情報の読み出し要求を送信し、当該読み出し要求に対するレスポンスとして外部装置から関連情報を取得したりする。
【００８５】
例えば、データ取得部１１１は、外部装置にて暗号化されて管理されている関連情報を、光ディスク１００に記録されている鍵情報を用いて取得する。この場合、外部装置では、暗号化された関連情報と、光ディスク１００に記録されている鍵情報とが対応付けて管理されている。データ取得部１１１は、関連情報が自動配信される場合には、再生制御部１１３に光ディスク１００から読み出させた鍵情報と、その関連情報に含まれる鍵情報とが一致するかどうかを確認し、これらの鍵情報が一致した場合にのみその関連情報を取得する。また、データ取得部１１１は、ＰＣ側制御部２１から関連情報の取得指示を受信した場合には、再生制御部１１３に光ディスク１００から読み出させた鍵情報を外部装置に送信する。外部装置は、当該鍵情報と一致する関連情報が存在することを確認できた場合
には、その関連情報をデータ取得部１１１に送信する。これにより、データ取得部１１１は、上記取得指示に対するレスポンスとしての関連情報を取得できる。
【００８６】
なお、データ取得部１１１は、関連情報を、通信部１２を介して外部装置から取得しているが、これに限られたものではない。データ取得部１１１は、例えば関連情報が光ディスクに記録され、当該光ディスクがドライブ装置１（光ディスク１００が挿入されている場合には、光ディスク１００が挿入されている挿入部とは異なる挿入部）に挿入されている場合には、この光ディスクから関連情報を取得してもよい。すなわち、データ取得部１１１は、関連情報を「外部」から取得するものであり、この「外部」とは、例えばネットワーク上に存在する外部装置や、関連情報を記録している光ディスクやＵＳＢ等の可搬性を有する記録媒体等、ドライブ装置１あるいはＰＣ２の外部の装置及び媒体を指すものである。
【００８７】
復号部１１２は、再生制御部５１が光ディスク１００から読み出した鍵情報を用いて、データ取得部１１１が取得した関連情報を復号するものである。
【００８８】
再生制御部１１３は、光ディスクに対する情報の再生を制御する、すなわち、記録再生制御回路群１３を制御することにより、光ディスクに記録された情報を読み出すものである。再生制御部１１３は、例えば光ディスク１００であれば、ＲＯＭ層から登録情報を、ＲＥ層から関連情報を読み出す。再生制御部１１３は、記録制御部１１４により光ディスク１００に復号済関連情報が記録されている場合には、この復号済関連情報を読み出す。また、再生制御部１１３は、データ取得部１１１が外部装置から関連情報を取得するときに、光ディスク１００のＲＯＭ層に記録されている鍵情報を読み出すものである。
【００８９】
記録制御部１１４は、光ディスクに対する情報の記録を制御する、すなわち、記録再生制御回路群１３を制御することにより、光ディスクに情報を記録するものである。記録制御部１１４は、データ取得部１１１が取得し、復号部１１２が復号した関連情報である復号済関連情報を、光ディスク１００のＲＥ層に記録する。また、記録制御部１１４は、データ管理部１１５が作成したファイル管理情報及びアドレステーブルＴ１を光ディスク１００のＲＥ層に記録する。
【００９０】
データ管理部１１５は、光ディスク１００に記録するファイル管理情報及びアドレステーブルＴ１を作成し、光ディスク１００に記録されるデータ（復号部１１２が復号した復号済関連情報やラインマーカー等の関連情報等）の管理を行うものである。
【００９１】
ここで、データ管理部１１５によるファイル管理情報及びアドレステーブルＴ１の作成方法、並びに、再生制御部１１３によるアドレステーブルＴ１の使用方法について説明する。
【００９２】
データ管理部１１５は、復号部１１２が復号した復号済関連情報を取得すると、光ディスク１００のＲＥ層（リードイン領域１０２）からファイル管理情報及びアドレステーブルＴ１を読み出すように再生制御部１１３に指示する。再生制御部１１３は、記録再生制御回路群１３を制御して光ディスク１００からファイル管理情報及びアドレステーブルＴ１を読み出すと、これらをデータ管理部１１５に送信する。一方、再生制御部１１３は、光ディスク１００にファイル管理情報あるいはアドレステーブルＴ１がなく、読み出すことができなかった場合には、その旨をデータ管理部１１５に通知する。
【００９３】
データ管理部１１５は、ファイル管理情報を受信すると、復号部１１２から受信した復号済関連情報の属性情報をこのファイル管理情報に追加することにより、新たなファイル管理情報を作成する。一方、データ管理部１１５は、光ディスク１００からファイル管理
情報を読み出すことができない旨の通知を受けた場合には、復号済関連情報の属性情報を用いてファイル管理情報を新規に作成する。データ管理部１１５は、作成したファイル管理情報を記録制御部１１４に送信し、記録制御部１１４は、記録再生制御回路群１３を制御して、このファイル管理情報を、光ディスク１００のＲＥ層（リードイン領域１０２）の所定の位置に記録する。
【００９４】
次に、データ管理部１１５は、アドレステーブルＴ１を受信すると、ファイル管理情報として追加される復号済関連情報あるいは関連情報を記録する光ディスク１００のＲＥ層における位置を決定し、この位置等をアドレステーブルＴ１に追加することにより新たなアドレステーブルＴ１を作成する。
【００９５】
アドレステーブルＴ１は、図５に示すように、「ファイル名」、「転送元（Ｌ１層：ＲＯＭ層）」及び「転送先（Ｌ０層：ＲＥ層）」が格納され、光ディスク１００のＲＥ層（リードイン領域１０２）に記録されるものである。「ファイル名」は、アドレステーブルＴ１に格納する復号済関連情報あるいは関連情報（ユーザ入力によるメモ等）の名称を示すものである。「転送元（Ｌ１層：ＲＯＭ層）」は、復号済関連情報あるいは関連情報に関連する登録情報（又はその一部）が記録されているＲＯＭ層（ユーザデータ領域１０３）における位置を示す転送元アドレスを示すものである。「転送先（Ｌ０層：ＲＥ層）」は、データ管理部１１５により決定される、復号済関連情報あるいは関連情報が記録されるＲＥ層（ユーザデータ領域１０３）における位置を示す転送先アドレスを示すものである。
【００９６】
図５は、更新情報Ａ（復号済関連情報）及びメモＢ（関連情報）が光ディスク１００のＲＥ層に記録されており、次に更新情報Ｃが復号済関連情報として当該ＲＥ層に記録されるときに作成されるアドレステーブルＴ１を示している。図示のように、「ファイル名」の１段目及び２段目には、それぞれ「更新情報Ａ」及び「メモＢ」が格納されている。また、これらの情報に対応して、「転送元（Ｌ１層：ＲＯＭ層）」には、これらの情報と関連する登録情報の転送元アドレスとして「１００セクタ」及び「８０セクタ」がそれぞれ格納されており、「転送先（Ｌ０層：ＲＥ層）」には、これらの情報が記録される転送先アドレスとして「１２０セクタ」及び「１００セクタ」が記録されている。
【００９７】
例えば、データ管理部１１５は、復号部１１２から復号済関連情報として「更新情報Ｃ」を取得した場合、「更新情報Ｃ」を記録するＲＥ層における位置を決定し、「更新情報Ａ」及び「メモＢ」が格納されているアドレステーブルＴ１に、「更新情報Ｃ」に関連する登録情報の転送元アドレス（図５では１２０セクタ）と、決定した位置を示す転送先アドレス（図５では１４０セクタ）とを格納する。このとき、データ管理部１１５は、ＲＯＭ層に記録されている登録情報の属性情報（少なくとも転送元アドレスを含む）を読み出し、この属性情報と更新情報Ｃの属性情報とを参照することによって、更新情報Ｃに関連する登録情報（又はその一部）を判断し、その登録情報の転送元アドレスを取得する。このようにして、データ管理部１１５によりアドレステーブルＴ１が作成される。
【００９８】
一方、データ管理部１１５は、光ディスク１００からアドレステーブルＴ１を読み出すことができない旨の通知を受けた場合には、復号済関連情報あるいは関連情報の転送先アドレスを決定し、アドレステーブルＴ１を新規に作成する。データ管理部１１５は、作成したファイル管理情報を記録制御部１１４に送信する。
【００９９】
データ管理部１１５は、作成したアドレステーブルＴ１を記録制御部１１４に送信し、記録制御部１１４は、記録再生制御回路群１３を制御して、このアドレステーブルＴ１を、光ディスク１００のＲＥ層（リードイン領域１０２）の所定の位置に記録する。
【０１００】
この場合、再生制御部１１３は、ＰＣ側制御部２１からの登録情報の読み出し指示を受信すると、光ディスク１００からファイル管理情報を読み出し、このファイル管理情報に含まれる属性情報の中に、読み出し指示のあった登録情報があるかを確認する。再生制御部１１３は、その登録情報があると確認できた場合には、光ディスク１００からアドレステーブルＴ１を読み出して参照することにより、その登録情報の属性情報である転送元アドレスに対応する転送先アドレスの示す位置に記録されている復号済関連情報あるいは関連情報を読み出す。
【０１０１】
図５では、再生制御部１１３は、例えば、ＰＣ側制御部２１から、ＲＯＭ層の１００セクタに記録されている登録情報のリード要求があった場合には、ＲＥ層の１２０セクタに記録されている１２０セクタの復号済関連情報あるいは関連情報を読み出して、その情報をＰＣ側制御部２１に送信する。一方、再生制御部１１３は、ファイル管理情報を参照して、読み出し指示のあった登録情報に関連する復号済関連情報あるいは関連情報がＲＥ層にないと判断した場合には、登録情報自身をＲＯＭ層から読み出す。
【０１０２】
このようにして、再生制御部１１３は、記録制御部１１４により光ディスク１００に復号済関連情報（外部から取得した更新情報等を復号した情報）が記録されている場合には、アドレステーブルＴ１を使用して、当該復号済関連情報を読み出す。つまり、再生制御部１１３は、登録情報の代わりとして、登録情報を更新した後の情報である復号済関連情報を読み出すので、最新の状態の登録情報を読み出すことができる。なお、再生制御部１１３は、ユーザにより入力されたメモ等の関連情報が光ディスク１００に記録されている場合には、登録情報とともに当該関連情報を読み出すことができる。
【０１０３】
なお、上記では、アドレステーブルＴ１を利用したドライブ装置１での制御について説明したが、これに限らず、アプリケーションによる制御も可能である。この場合、光ディスク１００のＲＥ層に、更新情報を復号した復号済関連情報の情報を持つデータによって行われる。
【０１０４】
通信部１２は、ドライブ装置１で再生制御可能な、光ディスク１００に記録されている登録情報に関連する関連情報を格納するコンテンツサーバ等の外部装置と、ネットワーク（例えばインターネット）を介してデータ通信を行うことが可能なものである。また、通信部１２は、例えばデータ取得部１１１に制御されることにより、外部装置への関連情報の読み出し要求の送信、あるいは、外部装置から取得した関連情報のデータ取得部１１１への送信等の処理を行う。
【０１０５】
記憶部１４は、ドライブ側制御部１１が実行する（１）各部の制御プログラム、（２）ＯＳプログラム、（３）アプリケーションプログラム、および、（４）これらプログラムを実行するときに読み出す各種データを記録するものである。例えば、記憶部１４には、再生制御部１１３が鍵情報を読み出し、復号部１１２がこの鍵情報を用いて関連情報を復号するための専用のアプリケーション（図６の処理を実現するためのアプリケーション）等が記憶されている。記憶部１４は、フラッシュメモリなどの不揮発性の記憶装置によって構成される。
【０１０６】
一次記憶部１５は、ＲＡＭ（Random Access Memory）などの揮発性の記憶装置によって構成されるものであり、ドライブ側制御部１１が上述の各種プログラムを実行する過程でデータを一時的に保持するための作業領域として使用される。一次記憶部１５は、例えば復号部１１２が暗号化された関連情報を復号するときに用いられる。
【０１０７】
〔ドライブ装置１における処理〕
次に、図６を用いて、本実施の形態に係るドライブ装置１における処理、具体的には、
ドライブ装置１が外部装置からダウンロードして更新情報を取得した場合の処理について説明する。図６は、本実施の形態に係るドライブ装置１における処理の一例を示すフローチャートである。なお、図６では、外部装置には、光ディスク１００に記録された登録情報を更新するための更新情報が暗号化されて管理されており、光ディスク１００がドライブ装置１に挿入されているものとする。
【０１０８】
まず、再生制御部１１３は、光ディスク１００のＲＯＭ層から鍵情報を読み出し（Ｓ１）、データ取得部１１１に送信する。データ取得部１１１は、この鍵情報を用いることにより、通信部１２を介して、ネットワーク（ウェブ）上に存在する外部装置から暗号化された更新情報を取得する（Ｓ２）。この更新情報は、外部装置から自動配信された情報であっても、ユーザからの更新情報の取得指示に対して外部装置から取得した情報であってもよい。データ取得部１１１は、外部装置から更新情報を取得すると、その更新情報を復号部１１２に送信する。
【０１０９】
復号部１１２は、更新情報を受信すると、Ｓ１において読み出された鍵情報を用いて、この更新情報を復号する（Ｓ３）。復号部１１２は、更新情報を復号すると、復号した更新情報である復号済更新情報をデータ管理部１１５に送信する。
【０１１０】
なお、復号部１１２は、更新情報を受信した時点で、再生制御部１１３に光ディスク１００から鍵情報を読み出させるようにしてもよい。この場合、鍵情報をドライブ装置１に記憶しておく必要がないので、鍵情報の流出を回避することができ、セキュアに利用することができる。また、復号部１１２は、データ取得部１１１が鍵情報を用いずに外部装置から更新情報を取得する場合も、更新情報を受信した時点で、再生制御部１１３に鍵情報を読み出させるようにしてもよい。
【０１１１】
データ管理部１１５は、復号済関連情報を受信すると、ファイル管理情報及びアドレステーブルＴ１を光ディスク１００から読み出し、受信した復号済更新情報の属性情報や転送先アドレス等を追加することにより、ファイル管理情報及びアドレステーブルＴ１を更新する。また、データ管理部１１５は、ファイル管理情報又はアドレステーブルＴ１を読み出すことができなかった場合には、受信した復号済更新情報の属性情報や転送先アドレス等を用いて、ファイル管理情報又はアドレステーブルＴ１を新規に作成する。
【０１１２】
データ管理部１１５は、受信した復号済更新情報と、作成したファイル管理情報及びアドレステーブルＴ１とを、記録制御部１１４に送信する。なお、復号部１１２は、データ管理部１１５に復号済更新情報を送信したときに、記録制御部１１４にも送信しておいてもよい。
【０１１３】
記録制御部１１４は、データ管理部１１５から復号済更新情報、ファイル管理情報及びアドレステーブルＴ１を受信すると、これらを光ディスク１００のＲＥ層における所定の位置に記録する（Ｓ４）。
【０１１４】
このように、暗号化された更新情報がウェブ上に開示されているシステムでは、ドライブ装置１は、光ディスク１００のＲＯＭ層に記録されている鍵情報を用いて、外部装置から暗号化された更新情報をダウンロードし、更新情報を復号（解読）して、光ディスク１００のＲＥ層に記録している。
【０１１５】
以上のように、ドライブ装置１（その制御方法）は、登録情報に関連する、暗号化された関連情報を外部から取得するデータ取得部１１１（取得ステップ）と、データ取得部１１１が関連情報を取得するときに、光ディスク１００に記録されている、関連情報を復号するための鍵情報を光ディスク１０から読み出す再生制御部１１３（再生制御ステップ）
と、再生制御部１１３が読み出した鍵情報を用いて、関連情報を復号する復号部１１２（復号ステップ）と、を備えている。
【０１１６】
この構成によれば、光ディスク１００の場合には関連情報の復号を行い、鍵情報を有していない光ディスクの場合にはその復号を行わないので、光ディスク１００が挿入されていないとき、または、鍵情報を有していない光ディスクが挿入されたときの関連情報の利用を回避することができる。また、光ディスク１００だけが鍵情報を有しているので、ドライブ装置１は、他の光ディスクに関連情報を不正コピーしたとしても、その関連情報を利用することができない。このため、不正コピーされた関連情報が利用されるという状況を回避することができる。
【０１１７】
さらに、記録制御部１１４が、復号済関連情報を、この復号済関連情報と関連する登録情報が記録されている光ディスク１００に記録するので、登録情報と、この登録情報に関連する復号済関連情報とが、同じ光ディスク１００に記録される。このため、ドライブ装置１以外の他の装置においても、登録情報の利用に供してその復号済関連情報を利用させることができる。また、関連するこれらの情報を、ひとつの光ディスク１００を用いて一元管理することができる。
【０１１８】
さらに、データ取得部１１１が、関連情報として、登録情報を更新するための情報である更新情報を取得するので、記録制御部１１４は、復号後の更新情報である復号済関連情報を光ディスク１００に記録する。このため、光ディスク１００を用いて、登録情報を最新の状態で管理することができる。すなわち、登録情報に対して新しい事実の発見があった場合、あるいは、登録情報に間違いがあった（登録情報が破損していた）場合に、その発見や、間違いの修正を、登録情報とともに光ディスク１００に記録することができるので、光ディスク１００の陳腐化を回避することができる。
【０１１９】
さらに、再生制御部１１３は、光ディスク１００に、更新情報を復号した復号済関連情報が記録されている場合には、その復号済関連情報を読み出す。このため、登録情報に対して新しい事実の発見があった場合、あるいは、登録情報に間違いがあった場合であっても、その登録情報の代わりとして、更新または修復された最新の状態の登録情報を読み出すことができる。
【０１２０】
〔本発明の別の表現〕
本発明は、以下のようにも表現できる。
【０１２１】
すなわち、本発明に係る記録再生装置は、アップデートデータの不正コピーなどの対策として、アップデートデータを暗号して、Ｗｅｂ上などに開示し、専用のアプリケーションにて、ＲＯＭ層にある鍵データを使用して、暗号化されたデータをＷｅｂ上からダウンロードし、そのデータを解読しながら記録層に書き込みを行うものである。
【０１２２】
また、本発明に係る記録再生装置は、ＲＯＭ層には、その時点で、最新の情報を記録し、情報の更新が合った場合には、記録層に新しい情報を書き込むものである。そして、情報の読み込み時には、記録層に情報があった場合は、記録層の情報を読み出し、記録層に情報がなかった場合は、ＲＯＭ層から情報を読み出すものである。
【０１２３】
〔補足〕
最後に、ドライブ装置１の各ブロック、特にドライブ側制御部１１のデータ取得部１１１、復号部１１２、再生制御部１１３、記録制御部１１４及びデータ管理部１１５は、ハードウェアロジックによって構成してもよいし、次のようにＣＰＵを用いてソフトウェアによって実現してもよい。
【０１２４】
すなわち、ドライブ装置１は、各機能を実現する制御プログラムの命令を実行するＣＰＵ（central processing unit）、前記プログラムを格納したＲＯＭ（read only memory
）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるドライブ装置１の制御プログラムのプログラムコード（実行形式プログラム、中間コードプログラム、ソースプログラム）をコンピュータで読み取り可能に記録した記録媒体を、前記ドライブ装置１に供給し、そのコンピュータ（又はＣＰＵやＭＰＵ）が記録媒体に記録されているプログラムコードを読み出し実行することによっても、達成可能である。
【０１２５】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２６】
また、ドライブ装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、
移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１２７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２８】
例えば、ドライブ側制御部１１の処理（例えば図６に示す処理）を、ＰＣ２のＰＣ側制御部２１が制御する構成であってもよい。この場合、ＰＣ２の記憶部２２には、この処理を行うための専用のアプリケーションが記憶されており、ＰＣ側制御部２１は、この専用のアプリケーションを用いて、ドライブ側制御部１１にその処理を実行させる。また、ＰＣ側制御部２１は、ドライブ側制御部１１にその処理を実行させるための指示を、専用のＡＴＡＰＩコマンドを用いて送信する。
【０１２９】
また、上記では、データ取得部１１１、復号部１１２、再生制御部１１３、記録制御部１１４及びデータ管理部１１５をドライブ装置１のドライブ側制御部１１が備えるものとして説明したが、これに限らず、これらの部材をＰＣ２のＰＣ側制御部２１が備える構成としてもよい。また、通信部１２も同様に、ＰＣ２が備えていてもよい。この場合、再生制御部１１３及び記録制御部１１４は、光ディスクに対する情報の記録再生制御を行うための指示を、ＡＴＡＰＩコマンドを用いてドライブ装置１に送信する。
【産業上の利用可能性】
【０１３０】
本発明は、外部から取得する暗号化された情報をセキュアに利用することができるので
、当該情報を受信可能な通信機能を備えたレコーダーや、それを備えたＰＣ、テレビ等に好適である。
【符号の説明】
【０１３１】
１  ドライブ装置（記録再生装置）
２  ＰＣ（情報処理装置）
１００  光ディスク（情報記録媒体）
１１１  データ取得部（取得手段）
１１３  再生制御部（再生制御手段）
１１２  復号部（復号手段）
１１４  記録制御部（記録制御手段）
【図１】
2011159347.tif 000003
【図２】
2011159347.tif 000004
【図３】
2011159347.tif 000005
【図４】
2011159347.tif 000006
【図５】
2011159347.tif 000007
【図６】
2011159347.tif 000008